(57)【要約】      （修正有）【課題】給水ポンプの二次側の圧力が過大となることを防止可能な給水装置を提供する。【解決手段】給水装置１は、吸込管１２を少なくとも三方向に分岐する分岐管にそれぞれ接続され、給水ポンプ及びモータを有する複数台のポンプユニット、及び、制御盤（制御手段）４０を有ポンプパッケージ１３と、このポンプパッケージ１３の下流に設けられた吐出配管１４と、この吐出配管１４に接続され、水位検出器１５が設けられた高架水槽（給水部）１６と、高架水槽１６の一次側に設けられた自動開閉弁１９と、を備え、水位検出器１５により検出した水位に基いて自動開閉弁１９を閉とするとともに、制御盤４０により、少なくとも２台のモータの周波数を、同一周波数で同調させて低下後、モータを停止させる。【選択図】図１
2010229859.tif 000002
【特許請求の範囲】
【請求項１】
給水源に接続された吸込管と、
この吸込管を少なくとも３方向に分岐する分岐管と、
これら分岐管にそれぞれ設けられたポンプと、
これらポンプをそれぞれ駆動するモータと、
前記ポンプ及び前記モータを有するポンプユニットと、
前記ポンプの二次側を合流させる吐出管と、
この吐出管に設けられ、前記ポンプの吐出圧力を検出する圧力検出器と、
前記吐出管に接続された給水部と、
この給水部の一次側に設けられた自動開閉弁と、
前記モータの少なくとも２台を同一周波数で駆動可能、且つ、これらモータの周波数を同調させて可変可能な制御手段と、
を備えることを特徴とする給水装置。
【請求項２】
前記制御手段は、前記開閉弁の閉後に前記モータの周波数を同一周波数で漸次低下させて停止させることを特徴とする請求項１に記載の給水装置。
【請求項３】
前記制御手段は、目標圧力よりも所定の圧力高い過大圧力を前記圧力検出器で検出した場合に、前記複数のモータの駆動を全て停止させることを特徴とする請求項２に記載の給水装置。
【請求項４】
前記制御手段は、前記モータの駆動時に、前記モータの少なくとも１台を停止状態とするとともに、前記停止状態とする前記モータを前記モータの駆動毎に交互に変更することを特徴とする請求項２に記載の給水装置。
【請求項５】
前記制御手段は、前記モータ又は前記ポンプの異常時に、異常な前記モータ又は異常な前記ポンプを駆動する前記モータを停止させるとともに、他の前記モータの少なくとも２台を同一周波数に同調させて駆動させることを特徴とする請求項４に記載の給水装置。
【発明の詳細な説明】
【技術分野】
【０００１】
本発明は、水道本管からの水を増圧する給水装置に関する。
【背景技術】
【０００２】
ビル等の建造物へ水を供給するために、水道本管や貯水槽等の水を直接増圧させて給水する所謂直結式の給水装置が知られている。このような給水装置は、複数のポンプが並列に配置され、例えば、交互運転が成される。このような増圧給水装置は、増圧した水を、高架水槽へ給水して、高架水槽から蛇口へと給水する。
【０００３】
このような給水装置を用いて高架水槽へ給水する場合には、高架水槽が所定の水位（定水位）となった場合等に、定水位弁やパイロット式電磁弁等の開閉弁が閉となり、その後、増圧給水装置の運転を止め、高架水槽が満水となることを防止している。
【０００４】
また、高架水槽の下限及び上限の水位を測定して、下限水位を検出したら、所定の立ち上がり特性で始動し、上限水位を検出したら、所定の立下り特性で停止する直結型の給水装置が知られている（特許文献１参照）。
【０００５】
さらに、高架水槽の水位検出器がポンプ停止水位（上限水位）を検出後、ポンプをゆっくり停止させ、その後自動開閉弁を閉じることで、流入圧力が変動しても安定な給水動作を行なうことが可能な直結型の給水装置も知られている（特許文献２参照）。なお、この給水装置は、ポンプ運転水位（下限水位）を検出すると開閉弁が開となり、その後加圧ポンプをゆっくり起動させる。
【０００６】
これらの直結式の給水装置は、（社）日本水道協会規格「水道用直結加圧形ポンプユニット（ＪＷＷＡ  Ｂ１３０）」に沿ったものが一般的である。しかし、（社）日本水道協会規格「水道用直結加圧形ポンプユニット（ＪＷＷＡ  Ｂ１３０）」の現行の規格では、給水装置は、複数台の給水ポンプを並列に配置し、増圧給水時において、前記複数台の少なくとも１台を停止させておき、この給水ポンプ以外の給水ポンプを運転させる構成が定められている。
【０００７】
このような構成とすることで、万が一給水ポンプの故障時に、通常停止させている予備の給水ポンプを運転させて断水を防止する構成となる。なお、予備の給水ポンプとして常時停止させておくのではなく、停止させる給水ポンプを交互に変更する交互運転を行なう場合もある。また、３台以上の給水ポンプを有する給水装置は、少なくとも一台の給水ポンプを停止させるとともに、複数台の給水ポンプを運転させる、所謂並列運転を行うものもある。
【０００８】
このような並列運転を行なう給水装置において高架水槽の満水を防止する場合に、高架水槽は、定水位弁やパイロット式電磁弁を閉とし、並列運転から、いずれかの給水ポンプを解列させている。
【先行技術文献】
【特許文献】
【０００９】
【特許文献１】特開平０７−１８０６９１号公報
【特許文献２】特開平０８−２７７７８１号公報
【発明の概要】
【発明が解決しようとする課題】
【００１０】
上述した給水装置では、次のような問題があった。即ち、並列運転を行なう給水装置では、高架水槽が定水位となった場合に、開閉弁が閉となるが、所定の時間で開閉弁が閉となるため、給水ポンプを並列運転から解列動作を行う前に開閉弁が閉となることがある。このような場合には、開閉弁が閉であっても、給水ポンプが並列運転で行われているため、圧力が過大となる虞がある。即ち、解列動作による給水ポンプの圧力の追従がうまくいかないことがある。このような場合には、給水装置の安全のために、緊急停止するため、一時断水状態となる問題もある。
【００１１】
そこで、本発明は、給水ポンプの二次側の圧力が過大となることを防止可能な給水装置を提供することを目的としている。
【課題を解決するための手段】
【００１２】
前記課題を解決し目的を達成するために、本発明の給水装置は次のように構成されている。
【００１３】
本発明の一態様として、給水源に接続された吸込管と、この吸込管を少なくとも３方向に分岐する分岐管と、これら分岐管にそれぞれ設けられたポンプと、これらポンプをそれぞれ駆動するモータと、前記ポンプ及び前記モータを有するポンプユニットと、前記ポンプの二次側を合流させる吐出管と、この吐出管に設けられ、前記ポンプの吐出圧力を検出する圧力検出器と、前記吐出管に接続された給水部と、この給水部の一次側に設けられた開閉弁と、前記モータの少なくとも２台を、前記ポンプの吐出圧力が目標圧力となる周波数に同一周波数で駆動させる制御手段と、を備えることを特徴とする給水装置が提供される。
【発明の効果】
【００１４】
本発明によれば、給水ポンプの二次側の圧力が過大となることを防止可能な給水装置とすることが可能となる。
【図面の簡単な説明】
【００１５】
【図１】本発明の一実施の形態に係る給水装置の構成を示す説明図。
【図２】同給水装置に用いられる給水ポンプユニットの構成を示す説明図。
【発明を実施するための形態】
【００１６】
図１は本発明の一実施の形態に係る給水装置１の構成を示す説明図、図２は同給水装置１に用いられるポンプパッケージ１３の構成を示す説明図である。なお、図１，２中、Ｂは建造物を、Ｋは電源ケーブルを、Ｐは水道本管を、Ｓは信号線を、Ｔは給水口をそれぞれ示している。
【００１７】
給水装置１は、例えば、水道本管Ｐに直結され、水道本管Ｐを流れる水を直接増圧する、所謂直結増圧型給水装置が用いられる。図１に示すように、給水装置１は、水道本管Ｐから分岐された水道分管１０と、この水道分管１０に接続されたメータユニット（量水器）１１と、このメータユニット１１の下流に接続された吸込管１２と、を備えている。
【００１８】
また、給水装置１は、吸込管１２に接続されたポンプパッケージ１３と、このポンプパッケージ１３の下流に設けられた吐出配管１４と、この吐出配管１４に接続され、且つ、建造物Ｂの屋上等に配置され、水位検出器１５が設けられた高架水槽（給水部）１６と、を備えている。なお、給水装置１は、高架水槽１６に接続され、建造物Ｂに設けられた蛇口等の各給水口Ｔに接続された給水配管１７を有している。
【００１９】
また、給水装置１は、吐出配管１４上であって、高架水槽１６の一次側に、圧力検出器１８及び自動開閉弁１９が設けられている。この自動開閉弁１９は、水位検出器１５により検出した水位に基いて開閉可能に形成されている。例えば、自動開閉弁１９は、電磁開閉弁であり、水位検出器１５は電極により水位を検出する検出器で構成され、互いに信号線Ｓにより接続されている。自動開閉弁１９は、水位検出器１５で所定の水位が検出されると閉に、所定の水位以下で開に開閉可能に形成されている。なお、自動開閉弁１９及び水位検出器１５は、機械的に水位を検出するボールタップ及びボールタップにより開閉する開閉弁であってもよい。また、建造物Ｂは、一例として１２階建の構造を図１に記載しているが、特にこれに限定されるものではない。
【００２０】
メータユニット１１は、例えばメータの上流側と下流側とを分岐させてバイパス管を設けたメータバイパスユニットで形成されている。
【００２１】
図２に示すように、ポンプパッケージ１３は、吸込管１２を少なくとも３以上の複数、例えば三方向に分岐する分岐部２１と、この分岐部２１により３（複数）に分岐された分岐管２２と、を備えている。
【００２２】
ポンプパッケージ１３は、分岐管２２にそれぞれ接続された少なくとも３台以上の複数台のポンプユニット２３と、これらポンプユニット２３にそれぞれ接続された合流管２４と、これら合流管２４を合流させる合流部２５と、合流部２５に接続された吐出管２６と、を備えている。また、ポンプパッケージ１３は、合流部２５の二次側の吐出管２６に、開閉弁２７を介して接続された蓄圧が可能な蓄圧装置２８を有している。なお、ポンプパッケージ１３の吐出管２６は、吐出配管１４に接続されている。
【００２３】
ポンプユニット２３は、少なくとも３台以上の複数台設けられていれば良い。なお、本形態では、一例として、三方向に分岐された分岐管２２にそれぞれポンプユニット２３を設けることから、３台のポンプユニット２３を用いた形態にて説明する。
【００２４】
ポンプユニット２３は、分岐管２２と合流管２４との間に上流側開閉弁３２、給水ポンプ３３、逆止弁３４及び下流側開閉弁３５を順次備えている。ポンプユニット２３には、給水ポンプ３３と逆止弁３４との間に、流量スイッチ３７が設けられている。また、ポンプパッケージ１３は、その内部に制御盤（制御手段）４０を有している。尚、制御盤４０は、ポンプパッケージ１３とは別体に設けられていても良い。
【００２５】
上流側開閉弁３２及び下流側開閉弁３５は、例えば手動で開閉が可能に形成されている。給水ポンプ３３は、給水ポンプ３３を駆動するモータ３６が接続されている。給水ポンプ３３は、複数台を並列、且つ、モータ３６により所定の回転数で駆動することで、目標圧力及び目標流量を吐出可能となるポンプ性能を有している。
【００２６】
例えば、ポンプ３３は、３台中２台駆動することで、圧力検出器１８で検出される圧力、及び、高架水槽１６に給水される給水量（流量）の水を供給可能なポンプ性能に形成されている。逆止弁３４は、その二次側から給水ポンプ３３への逆流を防止可能に形成されている。モータ３６は制御盤４０に信号線Ｓを介して接続されている。
【００２７】
流量スイッチ３７は、所定の流量によって、内部のスイッチが離接することで、流量を検出可能に形成されている。このような流量スイッチ３７は、例えば、給水ポンプ３３から吐出される水の流量が所定の流量以下となった場合に、内部に設けられたスイッチが接点することで、その情報を制御盤４０に送信可能に形成されている。
【００２８】
制御盤４０は、供給電源に接続可能な電源ケーブルＫを有し、供給電源から供給された電力により、モータ３６を駆動可能に形成されている。制御盤４０は、圧力検出器１８、複数のモータ３６及び複数の流量スイッチ３７に信号線Ｓを介してそれぞれ接続されている。制御盤４０は、圧力検出器１８で検出された圧力データを受信可能に形成されている。
【００２９】
制御盤４０は、複数のモータ３６を駆動することで、給水ポンプ３３の駆動が可能に形成されている。制御盤４０は、複数のモータ３６をそれぞれ駆動・停止可能、且つ、複数のモータ３６を同一周波数（回転数）で可変可能に形成されている。
【００３０】
制御盤４０は、駆動する給水ポンプ３３を並列運転及び交互運転を行うポンプ制御機能を有している。即ち、制御盤４０のポンプ制御機能は、複数の給水ポンプ３３の回転数となるように、モータ３６を同一周波数で並列に駆動させる並列運転と、給水ポンプ３３の駆動時に少なくとも１台停止させる（停止状態とする）給水ポンプ３３を交互に変更する交互運転と、を行う機能である。
【００３１】
制御盤４０は、並列運転等の給水ポンプ３３及びモータ３６（ポンプユニット２３）を、ＰＩ制御にて駆動するＰＩ制御機能を有している。具体的には、制御盤４０のＰＩ制御機能は、モータ３６を駆動した際の給水ポンプ３３からの吐出圧力を、圧力検出器１８で検出し、この検出データ（吐出圧力）と目標とする目標圧力とを比較する。なお、目標圧力は、例えば、高架水槽１６（末端）での推定末端圧力である。
【００３２】
制御盤４０は、吐出圧力と目標圧力とが略同一の圧力となるまで、吐出圧力と目標圧力との偏差状況に応じて比例・積分計算を行い、インバータによってモータ３６の周波数を同一周波数で可変（上昇）させ、給水ポンプ３３の回転数を可変（上昇）させる。このように、制御盤４０は、複数の給水ポンプ３３の回転数を同調させて可変し、吐出圧力が目標圧力と略同一、且つ、圧力略一定とするＰＩ制御が可能に形成されている。
【００３３】
さらに、制御盤４０は、圧力検出器１８により検出された圧力が通常使用時の圧力（目標圧力）よりも所定圧力高い過大圧力であった場合には、給水装置１の各構成品等の破損を防止するための停止機能を有している。
【００３４】
この停止機能は、例えば、過大な圧力が検出された場合に、モータ３６の駆動を急停止させる機能である。なお、ここで、過大圧力とは、給水装置１の各構成品の破損等の悪影響の虞がある給水装置１の破壊圧力や保証圧力等の圧力以上であり、構成等により適宜設定可能である。
【００３５】
また、制御盤４０は、複数のモータ３６又は給水ポンプ３３のいずれかが故障又は不調等の異常発生時（以下、故障として説明する。）に、これらの故障（異常）を検出すると、故障した給水ポンプ３３に接続されたモータ３６、又は、故障したモータ３６を停止させる。即ち、制御盤４０は、故障したポンプユニット２３の駆動を停止させるとともに、停止中のモータ３６を駆動することで、少なくとも２台の給水ポンプ３３を駆動させるスキップ機能を有している。
【００３６】
なお、給水ポンプ３３及びモータ３６の故障の検出については、どのような手法であってもよい。例えば、給水ポンプ３３がロック状態等になった場合に、制御盤４０に設けられたインバータが過電流を検出することで、故障を検出する構成としてもよい。また、制御盤４０の制御による目標の圧力と、圧力検出器１８で検出される圧力との比較によって故障を検出する構成でもよい。
【００３７】
このように構成された給水装置１を用いた建造物Ｂの給水口Ｔへの給水について説明する。  
先ず、制御盤４０に電力が供給されている状態で、開閉弁１９が開くと、給水装置１内の蓄圧が下がり、圧力検出器１８によりその情報が制御盤４０に送信される。この情報に基いて、制御盤４０は、複数のモータ３６のうち、少なくともいずれか一つを停止状態とするとともに、他の複数のモータ３６を駆動させる。
【００３８】
ここで、本実施の形態のモータ３６は、３台設けられている。説明の便宜上、３つのモータ３６をそれぞれモータ３６Ａ、３６Ｂ、３６Ｃとして以下説明する。  
先ず、制御盤４０は、モータ３６Ａ，３６Ｂの駆動を開始させるとともに、モータ３６Ｃには電力を供給せず、停止状態を維持する。
【００３９】
このとき、制御盤４０は、駆動を開始したモータ３６Ａ，３６Ｂの周波数を、同一周波数にて回転数を上昇させる。制御盤４０は、モータ３６Ａ，３６Ｂにより駆動する各給水ポンプ３３によって増圧された水圧を圧力検出器１８から受信するとともに、目標とする所定の圧力となるまでモータ３６Ａ，３６Ｂの回転数を上昇させる。
【００４０】
各給水ポンプ３３により増圧された水は、吐出配管１４を通過して揚水されるとともに、高架水槽１６内に一時的に貯留される。また、高架水槽１６に貯留された水は、高架水槽１６に接続された給水配管１７の二次側の給水口Ｔが開となった場合には、落差により各給水口Ｔに水が供給され、建造物Ｂ内に給水されることとなる。
【００４１】
このような給水装置１の運転において、高架水槽１６への貯留量より建造物Ｂ内への給水量（給水口Ｔからの放水量）が少ない場合には、高架水槽１６の貯留量が増加し、高架水槽１６の水位が高くなる。
【００４２】
高架水槽１６の水位が所定の水位以上となった場合には、水位検出器１５は、所定の水位を検出するとともに、自動開閉弁１９を閉とする。自動開閉弁１９が閉となると、供給水量が減少するため、制御盤４０は、圧力検出器１８の検出データから給水圧力の増加を受信しモータ３６Ａ，３６Ｂを同一周波数にて回転数を低下させ、流量スイッチ３７が閉を検出するとモータ３６Ａ，３６Ｂを停止させる。
【００４３】
これにより、給水ポンプ３３による高架水槽１６への水の供給が停止することとなる。高架水槽１６の水位が所定の水位以下となった場合には、水位検出器１５がこれを検出し、自動開閉弁１８を開とする。
【００４４】
自動開閉弁１８が開となることで、蓄圧装置２８の蓄水量が減少し、圧力検出器１８で検出される圧力が低下する。この検出データを制御盤４０が受信すると、制御盤４０は、モータ３６Ｂ，３６Ｃを駆動し、同一周波数で回転数を上昇させる。制御盤４０は、給水ポンプ３３から吐出された水の圧力が所定の圧力となるまで、モータ３６Ｂ，３６Ｃの回転を上昇させる。
【００４５】
同様に、各給水ポンプ３３により増圧された水を高架水槽１６内に貯留させるとともに、高架水槽１６の水位が所定の水位となるまで、各給水ポンプ３３を所定の圧力で運転を継続させる。上述と同様に、高架水槽１６の水位が所定の水位となった場合には、水位検出器１５により自動開閉弁１９が閉となる。また、自動開閉弁１９が閉による給水圧力の増加した検出データを圧力検出器１８から制御盤４０が受信すると、制御盤４０は、モータ３６Ｂ，３６Ｃを同一周波数にて回転数を低下させ、モータ３６Ｂ，３６Ｃを停止させる。
【００４６】
その後、高架水槽１６の水位が所定の水位以下となった場合には、自動開閉弁１９が開となる。圧力検出器１８で検出されたデータにより自動開閉弁１９が開である旨を制御盤４０が検知すると、制御盤４０が、モータ３６Ｃ，３６Ａを駆動し、同一周波数にて回転数を上昇させる。
【００４７】
このように、制御盤４０は、自動開閉弁１９が開となると、モータ３６を、同一周波数で、給水ポンプ３３から吐出される水の圧力が所定の圧力となる回転数まで上昇させて駆動させる。制御盤４０は、駆動するモータ３６を、例えば、モータ３６Ａ，３６Ｂ、モータ３６Ｂ，３６Ｃ及びモータ３６Ｃ，３６Ａの順で、各モータ３６の駆動停止毎（高架水槽１６への給水停止毎）に停止及び駆動させる各モータ３６を交換し、ポンプユニット２３を交互に運転させる。
【００４８】
このような給水装置１の運転において、例えば、何らかの要因により、各ポンプユニット２３で増圧される圧力が過大な圧力となった場合には、制御盤４０は、この過大な圧力の検出データを圧力検出器１８から受信する。制御盤４０は、受信した検出データから、過大な圧力である旨を判断すると、先ず、モータ３６への給電を停止し、給水ポンプ３３及びモータ３６を停止させる。
【００４９】
次に、制御盤４０による、スキップ機能を用いた給水装置１の運転を説明する。制御盤４０は、例えば、モータ３６Ａ，３６Ｂを駆動中に、モータ３６Ｂ又はモータ３６Ｂに接続された給水ポンプ３３が故障した場合には、スキップ機能として、制御盤４０は、モータ３６Ｂへの給電を停止させるとともに、モータ３６Ｃへ電力を供給する。制御盤４０は、モータ３６Ｃの周波数を上昇させるとともに、モータ３６Ｃの周波数をモータ３６Ａの周波数と略同一とし、以下、モータ３６Ａ，３６Ｃを駆動させることで、高架水槽１６へ水を給水する。
【００５０】
なお、高架水槽１６の水位が所定の水位以上となった場合には、水位検出器１５は、所定の水位を検出するとともに、自動開閉弁１９を閉とする。制御盤４０は、圧力検出器１８の検出データを受信すると、モータ３６Ａ，３６Ｃを同一周波数にて回転数を低下させ、モータ３６Ａ，３６Ｃを停止させる。
【００５１】
このモータ３６Ａ、３６Ｃの停止により、給水ポンプ３３による高架水槽１６への水の供給が停止することとなる。次に起動する時にはこのとき、故障したモータ３６Ｂへの通電は行わず、モータ３６Ｂ以外のモータ３６へ通電を行う。
【００５２】
なお、モータ３６が３台設けられている場合には、モータ３６Ｂの修理が行われるまで、モータ３６Ａ，３６Ｃ（２台のモータ３６）により各給水ポンプ３３を駆動させる。モータ３６が４台以上設けられている場合には、故障したモータ３６以外のモータ３６により、並列運転及び交互運転を行う。
【００５３】
このように構成された給水装置１によれば、制御盤４０は、高架水槽１６へ給水する際に、給水ポンプ３３から吐出する水の圧力を所定の圧力となるまで複数のモータ３６の周波数（回転数）を、同一周波数にて上昇させる。また、制御盤４０は、自動開閉弁１９が閉となると、複数のモータ３６を同一周波数にて回転数を低下させ、モータ３６を停止させる。
【００５４】
これらのように、制御盤４０は、複数のモータ３６を同一周波数にて上昇・低下（停止）させることで、圧力検出器１８で検出される圧力が過大な圧力となることがない。即ち、給水ポンプ３３による流入圧力の変動を極力防止することが可能となる。また、自動開閉弁１９の急閉による流入圧力の変動（圧力上昇）による過大圧力の発生を防止することで、緊急停止機能の誤作動を防止することが可能となる。
【００５５】
このように、過大圧力の発生を防止し、緊急停止機能の誤作動による給水装置１の停止、即ち、断水を防止することが可能となる。このため、給水装置１により、建造物Ｂへの安定した給水が可能となり、給水装置１の信頼性が向上される。
【００５６】
また、制御盤４０により、複数のモータ３６を駆動するとともに、少なくとも１台のモータ３６を停止させる並列運転を行い、駆動するモータ３６を交互に交換する交互運転を行うことで、給水ポンプ３３及びモータ３６の故障を防止することが可能となる。給水ポンプ３３及びモータ３６は、使用時間によって、摺動部位やシール部等が摩耗や劣化により、機能の低下や破損等が発生する虞が高くなる。しかし、制御盤４０によりポンプユニット２３を並列運転及び交互運転させることで、給水ポンプ３３及びモータ３６の駆動時間を平均化し、使用の偏りを低減させることが可能となる。このため、ポンプユニット２３の故障を低下させ、信頼性を向上させることが可能となる。
【００５７】
さらに、複数のポンプユニット２３のいずれかが故障した場合であっても、正常なポンプユニット２３のモータ３６を駆動することで給水ポンプ３３を駆動することが可能となる。このため、モータ３６や給水ポンプ３３の故障による断水を防止可能となる。これにより、確実に給水可能となる。
【００５８】
また、給水装置１は、複数のモータ３６を並列運転させることにより、必要とする所定の吐出圧力及び吐出流量となる給水ポンプ３３を用いることで、給水ポンプ３３及びモータ３６一台あたりの寸法形状が小型及び小出力となる。このため、給水ポンプ３３及びモータ３６は、一台で同一の吐出圧力及び吐出流量となるポンプ及びモータを用いるよりも省エネになる。
【００５９】
上述したように本実施の形態に係る給水装置１によれば、３台以上の複数の給水ポンプ３３及びモータ３６を設け、これら複数の給水ポンプ３３及びモータ３６の少なくとも１台を停止させるとともに、残りの給水ポンプ３３及びモータ３６を制御盤４０により並列運転及び交互運転させる。これにより、給水ポンプ３３及びモータ３６の使用の偏りをなくすことが可能となり、故障を低下させ、信頼性を向上させることが可能となる。
【００６０】
また、駆動する複数のモータ３６は、制御盤４０により同一周波数に周波数を上昇・低下させることで、高架水槽１６の水位が所定の水位となった際に、自動開閉弁１９が急閉しても、過大な圧力となることを防止することができる。これにより、自動開閉弁１９の急閉時に、緊急停止機能が作動し、給水装置１を停止することがない。
【００６１】
また、給水ポンプ３３及びモータ３６が故障しても、他の給水ポンプ３３及びモータ３６を駆動することで、断水を防止することが可能となる。これらのことにより、給水装置１の信頼性を向上することが可能となる。
【００６２】
なお、本発明は前記実施の形態に限定されるものではない。上述した例では、給水ポンプ３３及びモータ３６の台数は３台で説明したが、３台以上の複数台であれば良い。また、上述した例では、高架水槽１６を設ける構成としたが、給水ポンプ３３により増圧した水を供給する給水部であれば高架水槽１６でなく、貯留タンク等であってもよい。この他、本発明の要旨を逸脱しない範囲で種々変形実施可能である。
【符号の説明】
【００６３】
１…給水装置、１０…水道分管、１１…メータユニット、１２…吸込管、１３…ポンプパッケージ、１４…吐出配管、１５…水位検出器、１６…高架水槽、１７…給水配管、１８…圧力検出器、１９…自動開閉弁、２１…分岐部、２２…分岐管、２３…ポンプユニット、２４…合流管、２５…合流部、２６…吐出管、２７…開閉弁、２８…蓄圧装置、３２…上流側開閉弁、３３…給水ポンプ、３４…逆止弁、３５…下流側開閉弁、３６、３６Ａ〜３６Ｃ…モータ、３７…流量スイッチ、４０…制御盤（制御手段）、Ｂ…建造物、Ｋ…電源ケーブル、Ｐ…水道本管、Ｓ…信号線、Ｔ…給水口。
【図１】
2010229859.tif 000003
【図２】
2010229859.tif 000004